(57)【要約】      （修正有）【課題】電波によらない公共エリアにおける通信システムを提供する。【解決手段】椅子の着座位置に配置される電極４とこの電極およびサーバ２に接続されるトランシーバ３と、着座者が使用するコンピュータ５とこのコンピュータに接続されるトランシーバ６を備え、前記コンピュータに接続されたトランシーバ６の電極から人体を介して前記電極４およびトランシーバ３を経由して前記サーバとの間で情報が送受信される。前記トランシーバ３は、情報としての電圧の波形に応じた電界を電気光学結晶に印加し、この電気光学結晶で光源からの光の偏光状態を変調し、この偏光変調光を強度変調光に変換し、この強度変調光を電気信号に変換してネットワーク１を介して前記サーバ接続される。【選択図】図１
2007184849.tif 000002
【特許請求の範囲】
【請求項１】
サーバと、椅子の着座位置に配置される電極と、この電極および前記サーバに接続されるトランシーバとを備え、
当該電極には、当該椅子の着座者が使用するコンピュータに接続されたトランシーバの電極と当該着座者の人体とを介して当該コンピュータから前記サーバへの情報に応じた波形の電圧が印加され、
サーバに接続される前記トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該サーバへの情報として検出し、この検出した情報を前記サーバに送信し、
当該サーバは、前記コンピュータへの情報を当該トランシーバに送信し、
当該トランシーバは、当該情報に応じた波形の電圧を、着座位置に配置される前記電極と当該人体とを介して、コンピュータに接続された前記トランシーバの電極に印加し、
当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該コンピュータへの情報として検出し、この検出した情報を当該コンピュータに送信する
ことを特徴とする通信システム。
【請求項２】
サーバと、公共エリア内の椅子の着座位置に配置される電極と、この電極および前記サーバに接続されるトランシーバとを備え、
当該電極には、当該椅子の着座者が使用するコンピュータに接続されたトランシーバの電極と当該着座者の人体とを介して当該コンピュータから前記サーバへの情報に応じた波形の電圧が印加され、
サーバに接続される前記トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該サーバへの情報として検出し、この検出した情報を前記サーバに送信し、
当該サーバは、前記コンピュータへの情報を当該トランシーバに送信し、
当該トランシーバは、当該情報に応じた波形の電圧を、着座位置に配置される前記電極と当該人体を介して、コンピュータに接続された前記トランシーバの電極に印加し、
当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該コンピュータへの情報として検出し、この検出した情報を当該コンピュータに送信する
ことを特徴とする通信システム。
【請求項３】
着座位置に配置された前記電極が配置された椅子に設けられたテーブルに配置される電極と、この電極および前記サーバに接続されるトランシーバとを備え、
当該電極には、当該テーブルに載置されたコンピュータに接続されたトランシーバの電極を介して当該コンピュータから前記サーバへの情報に応じた波形の電圧が印加され、
サーバに接続される前記トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該サーバへの情報として検出し、この検出した情報を前記サーバに送信し、
当該サーバは、前記コンピュータへの情報を当該トランシーバに送信し、
当該トランシーバは、当該情報に応じた波形の電圧を、テーブルに配置された前記電極を介して、コンピュータに接続された前記トランシーバの電極に印加し、
当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該コンピュータへの情報として検出し、この検出した情報を当該コンピュータに送信する
ことを特徴とする請求項２記載の通信システム。
【請求項４】
前記公共エリア内に配置される電極と、この電極および前記サーバに接続されるトランシーバとを備え、
当該電極には、当該公共エリアの来訪者が使用するコンピュータに接続されたトランシーバの電極と当該来訪者の人体とを介して当該コンピュータから前記サーバへの情報に応じた波形の電圧が印加され、
当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該サーバへの情報として検出し、この検出した情報を前記サーバに送信し、
当該サーバは、前記コンピュータへの情報を当該トランシーバに送信し、
当該トランシーバは、当該情報に応じた波形の電圧を、公共エリア内に配置された前記電極と当該人体とを介して、コンピュータに接続された前記トランシーバの電極に印加し、
当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該コンピュータへの情報として検出し、この検出した情報を当該コンピュータに送信する
ことを特徴とする請求項２または３記載の通信システム。
【発明の詳細な説明】
【技術分野】
【０００１】
本発明は、公共エリアに利便性をもたらすことができる通信システムに関するものである。
【背景技術】
【０００２】
近年では、旅行やビジネスで、飛行場や駅を利用する機会が多い。また、余暇の増加により、公園、博物館などを訪れることも多くある。それに伴い、かかる公共エリアにおける通信環境の重要性が高まっており、多くの関連技術が開示されている。例えば、下記の特許文献１に開示された技術は、施設利用者支援システムを設けることで駅などに利便性を提供するものである。
【特許文献１】特許第３６５２１５７号明細書
【発明の開示】
【発明が解決しようとする課題】
【０００３】
しかしながら、かかる施設利用者支援システムでは、情報を電波により送受信するので、アンテナが必要だったり、通信速度が遅いなど、様々な課題を含んでいる。よって、電波によらない通信環境を公共エリアに提供することで、これまでにない利便性が得られるとの期待が高い。
【０００４】
本発明は、上記の課題に鑑みてなされたものであり、その目的とするところは、電波によらず、しかも公共エリアに利便性をもたらすことができる通信システムを提供することにある。
【課題を解決するための手段】
【０００５】
上記の課題を解決するために、請求項１の本発明は、サーバと、椅子の着座位置に配置される電極と、この電極および前記サーバに接続されるトランシーバとを備え、当該電極には、当該椅子の着座者が使用するコンピュータに接続されたトランシーバの電極と当該着座者の人体とを介して当該コンピュータから前記サーバへの情報に応じた波形の電圧が印加され、サーバに接続される前記トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該サーバへの情報として検出し、この検出した情報を前記サーバに送信し、当該サーバは、前記コンピュータへの情報を当該トランシーバに送信し、当該トランシーバは、当該情報に応じた波形の電圧を、着座位置に配置される前記電極と当該人体とを介して、コンピュータに接続された前記トランシーバの電極に印加し、当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該コンピュータへの情報として検出し、この検出した情報を当該コンピュータに送信することを特徴とする通信システムをもって解決手段とする。
【０００６】
請求項２の本発明は、サーバと、公共エリア内の椅子の着座位置に配置される電極と、この電極および前記サーバに接続されるトランシーバとを備え、当該電極には、当該椅子の着座者が使用するコンピュータに接続されたトランシーバの電極と当該着座者の人体とを介して当該コンピュータから前記サーバへの情報に応じた波形の電圧が印加され、サーバに接続される前記トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該サーバへの情報として検出し、この検出した情報を前記サーバに送信し、当該サーバは、前記コンピュータへの情報を当該トランシーバに送信し、当該トランシーバは、当該情報に応じた波形の電圧を、着座位置に配置される前記電極と当該人体を介して、コンピュータに接続された前記トランシーバの電極に印加し、当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該コンピュータへの情報として検出し、この検出した情報を当該コンピュータに送信することを特徴とする通信システムをもって解決手段とする。
【０００７】
請求項３の本発明は、着座位置に配置された前記電極が配置された椅子に設けられたテーブルに配置される電極と、この電極および前記サーバに接続されるトランシーバとを備え、当該電極には、当該テーブルに載置されたコンピュータに接続されたトランシーバの電極を介して当該コンピュータから前記サーバへの情報に応じた波形の電圧が印加され、サーバに接続される前記トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該サーバへの情報として検出し、この検出した情報を前記サーバに送信し、当該サーバは、前記コンピュータへの情報を当該トランシーバに送信し、当該トランシーバは、当該情報に応じた波形の電圧を、テーブルに配置された前記電極を介して、コンピュータに接続された前記トランシーバの電極に印加し、当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該コンピュータへの情報として検出し、この検出した情報を当該コンピュータに送信することを特徴とする請求項２記載の通信システムをもって解決手段とする。
【０００８】
請求項４の本発明は、前記公共エリア内に配置される電極と、この電極および前記サーバに接続されるトランシーバとを備え、当該電極には、当該公共エリアの来訪者が使用するコンピュータに接続されたトランシーバの電極と当該来訪者の人体とを介して当該コンピュータから前記サーバへの情報に応じた波形の電圧が印加され、当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該サーバへの情報として検出し、この検出した情報を前記サーバに送信し、当該サーバは、前記コンピュータへの情報を当該トランシーバに送信し、当該トランシーバは、当該情報に応じた波形の電圧を、公共エリア内に配置された前記電極と当該人体とを介して、コンピュータに接続された前記トランシーバの電極に印加し、当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該コンピュータへの情報として検出し、この検出した情報を当該コンピュータに送信することを特徴とする請求項２または３記載の通信システムをもって解決手段とする。
【発明の効果】
【０００９】
本発明によれば、着座位置に配置された電極には、着座者が使用するコンピュータに接続されたトランシーバの電極と当該着座者の人体とを介して当該コンピュータからサーバへの情報に応じた波形の電圧が印加され、サーバに接続されるトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該サーバへの情報として検出し、この検出した情報をサーバに送信し、当該サーバは、コンピュータへの情報を当該トランシーバに送信し、当該トランシーバは、当該情報に応じた波形の電圧を、着座位置に配置される前記電極と当該人体とを介して、コンピュータに接続されたトランシーバの電極に印加し、当該トランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を当該コンピュータへの情報として検出し、この検出した情報を当該コンピュータに送信するので、電波によらず、しかも公共エリアに利便性をもたらすことができる。
【発明を実施するための最良の形態】
【００１０】
以下、本発明の実施の形態を図面を参照して説明する。
【００１１】
図１は、本発明の実施の形態に係る通信システムの構成図である。
【００１２】
この通信システムは、例えば、飛行機や列車、飛行場や駅、公園、博物館などの公共エリアに通信環境を提供するものである。
【００１３】
この通信システムでは、ネットワーク１に、サーバ２とトランシーバ３、３、…が接続されている。サーバ２はインターネットに接続されている。
【００１４】
また、公共エリア内の椅子の着座位置に電極４、４、…が配置され、それぞれが、対応するトランシーバ３に接続されている。電極４上には絶縁材（椅子の表面生地など）が配置されている。なお、絶縁材が配置されることについては、以下に説明する電極でも同様である。
【００１５】
また、トランシーバ３には、複数の電極４を接続してもよく、電極４の配置場所は、着座位置に限られず、例えば、椅子に設けられたテーブルに配置されることがある。
【００１６】
図１では、着座位置の電極４に接続されたトランシーバ３が、椅子に設けられたテーブルに配置された電極４にも接続されているところを示している。
【００１７】
また、公共エリアの種類によっては、電極４はゲート（入場ゲートなど）にも配置される。また、場合によっては、電極４はベンチにも配置される。また、場合によっては、電極４は床にも配置される。
【００１８】
この公共エリアでサーバ２と通信するコンピュータ５には、トランシーバ６が接続される。トランシーバ６は、着座者の人体上やテーブル上に配置して使用される。また、トランシーバ６は、ゲートを触って通過する人やベンチに座る人や床に立つ人の人体上に配置して使用される。
【００１９】
図２は、トランシーバ３の構成および利用形態を示す図である。
【００２０】
トランシーバ３は、発振器３１とセンサ部３２と送受信回路３３から構成される。送受信回路３３は、ネットワーク１から得た情報に応じて発振器３１を制御し、発振器３１は、その制御に応じた電圧を電極４に印加する。送受信回路３３は、センサ部３２で光電変換された電気信号を処理することで、サーバ２への情報を検出し、これをネットワーク１に送信する機能も有する。
【００２１】
センサ部３２は、光源３２１と、この光源３２１からの光の偏光状態を変調する電気光学結晶３２２と、この偏光変調光を強度変調光に変換する偏光板３２３と、この強度変調光を電気信号に変換する光検出器３２４とを備える。
【００２２】
図３は、トランシーバ６の構成および利用形態を示す図である。
【００２３】
トランシーバ６は、電極６１と、発振器６２とセンサ部６３と送受信回路６４から構成される。送受信回路６４は、コンピュータ５から得た情報に応じて発振器６２を制御し、発振器６２は、その制御に応じた電圧を電極６１に印加する機能を有する。送受信回路６４は、センサ部６３で光電変換された電気信号を処理することで、コンピュータ５への情報を検出し、これをコンピュータ５に送信する機能も有する。
【００２４】
センサ部６３は、光源６３１と、この光源６３１からの光の偏光状態を変調する電気光学結晶６３２と、この偏光変調光を強度変調光に変換する偏光板６３３と、この強度変調光を電気信号に変換する光検出器６３４とを備える。
【００２５】
図１に戻り、人体上のトランシーバ６に接続されたコンピュータ５は、コンピュータ５内に蓄積された情報、入力された情報などをサーバ２に送信する際、その情報をトランシーバ６の送受信回路６４に与え、送受信回路６４は、その情報に基づいてトランシーバ６の発振器６２を発振させる。
【００２６】
発振器６２は、この情報に応じた波形の電圧を電極６１と人体を介して着座位置の電極４に印加する。
【００２７】
同様に、テーブル上に配置されたコンピュータ５は、サーバ２への情報をトランシーバ６の送受信回路６４に与え、送受信回路６４は、その情報に基づいてトランシーバ６の発振器６２を発振させる。
【００２８】
発振器６２は、この情報に応じた波形の電圧を電極６１を介してテーブルの電極４に印加する。
【００２９】
いずれにしても、電極４に電圧が印加されると、その電極４に接続されたトランシーバ３のセンサ部３２では、当該電圧の波形に応じた電界を電気光学結晶３２２に印加し、光源３２１が光を電気光学結晶３２２に入射し、偏光板３２３が電気光学結晶３２２からの偏光変調光を強度変調光に変換し、光検出器３２４が強度変調光を電気信号に変換し、送受信回路３０が電気信号の波形をサーバ２への情報として検出し、この情報をネットワーク１に送信し、ネットワーク１が情報をサーバ２へ送信する。
【００３０】
一方、サーバ２は、サーバ２内に蓄積された情報、インターネットから取得した情報、コンピュータ５からの情報の処理結果である情報などコンピュータ５に送信する際、その情報をネットワーク１を介して、トランシーバ３の送受信回路３３に与え、送受信回路３３は、その情報に基づいてトランシーバ３の発振器３１を発振させる。
【００３１】
発振器３１は、この情報に応じた波形の電圧を電極４と人体を介して、人体上のトランシーバ６の電極６１に印加する。
【００３２】
同様に、発振器３１は、この情報に応じた波形の電圧を電極４を介して、テーブル上のトランシーバ６の電極６１に印加する。
【００３３】
いずれにしても、電極６１に電圧が印加されると、その電極６１に接続されたトランシーバ６のセンサ部６３では、当該電圧の波形に応じた電界を電気光学結晶６３２に印加し、光源６３１が光を電気光学結晶６３２に入射し、偏光板６３３が電気光学結晶６３２からの偏光変調光を強度変調光に変換し、光検出器６３４が強度変調光を電気信号に変換し、送受信回路６４が電気信号の波形をコンピュータ５への情報として検出し、この情報をコンピュータ５へ送信する。
【００３４】
具体的には、以下のようなことが可能となる。
【００３５】
（１）飛行機や列車では、椅子に座った人の名前などが自動的にがサーバに通知され、これにより、搭乗者管理を行える。また、サーバからその人に出発、到着時刻、インターネットから取得したニュースなどを伝えることができる。
【００３６】
（２）飛行場や駅では、ゲートを通過した人の名前などが自動的にがサーバに通知され、これにより、入退出者を把握することができる。
【００３７】
（３）公園のベンチで時間をもてあましている人にサーバから娯楽性のあるコンテンツを配信することができる。
【００３８】
（４）博物館の特設展示場の床上に立つだけで、その展示の概要を知ることができる。
【図面の簡単な説明】
【００３９】
【図１】本発明の実施の形態に係る通信システムの構成図である。
【図２】トランシーバ３の構成および利用形態を示す図である。
【図３】トランシーバ６の構成および利用形態を示す図である。
【符号の説明】
【００４０】
１  ネットワーク
２  サーバ
３、６  トランシーバ
４、６１  電極
５  コンピュータ
３１、６２  発振器
３２、６３  センサ部
３３、６４  送受信回路
３２１、６３１  光源
３２２、６３２  電気光学結晶
３２３、６３３  偏光板
３２４、６３４  光検出器
【図１】
2007184849.tif 000003
【図２】
2007184849.tif 000004
【図３】
2007184849.tif 000005